(57)【特許請求の範囲】
【請求項１】
乗客が操作する行き先階などを登録する押し釦と、この押し釦の表面が貫通し、エレベータの定格や注意事項などの文字や記号が表示されたフェースプレートと、保守・点検時に使用されるスイッチボックスを塞いでいる施錠部付きの扉板とを有する既設のエレベータ操作盤の表面に装着するための化粧用カバーであって、
前記押し釦の表面に装着する光透過用孔の形成された平板状の押し釦用カバーと、
前記フェースプレートの表面に装着する前記フェースプレートと略同形状に形成されたフェースプレート用カバーと、
前記扉板の表面に装着する施錠部の鍵穴を露出させる貫通穴の形成された扉板用カバーとから成り、
それぞれのカバーは、鋼板の表面にホーロー材を塗布して焼成した材料で形成されていることを特徴とするエレベータ操作盤の化粧カバー。
【請求項２】
前記押し釦用カバー、フェースプレート用カバーおよび扉板用カバーの表面には、それぞれ既設のエレベータ操作盤の表面に表示されているのと略同様の文字や記号が、ホーロー塗料で印刷して表示されていることを特徴とする請求項１に記載のエレベータ操作盤の化粧カバー。
【請求項３】
前記押し釦用カバー、フェースプレート用カバーおよび扉板用カバーは、それぞれ前記既設のエレベータ操作盤の押し釦、フェースプレートおよび扉板に、熱伝導率の低い接着剤または両面接着テープによって接着されていることを特徴とする請求項１または請求項２のいずれか１項に記載のエレベータ操作盤の化粧カバー。
【請求項４】
前記フェースプレート用カバーおよび扉板用カバーの背面側に取り付けられる位置決め用のスタッドボルトと、このスタッドボルトを貫通させる前記既設のエレベータ操作盤のフェースプレートおよび扉板に形成された位置決め孔を有し、この位置決め孔に貫通させたスタッドボルトを、前記既設のエレベータ操作盤のフェースプレートおよび扉板に止着することによって、前記フェースプレート用カバーおよび扉板用カバーを、前記既設のエレベータ操作盤のフェースプレートおよび扉板にそれぞれ固定したことを特徴とする請求項１または請求項２のいずれか１項に記載のエレベータ操作盤の化粧カバー。
【請求項５】
乗客が操作する行き先階などを登録する押し釦と、この押し釦の表面が貫通し、エレベータの定格や注意事項などの文字や記号が表示されたフェースプレートと、保守・点検時に使用されるスイッチボックスを塞いでいる施錠部付きの扉板とを有する既設のエレベータ操作盤の表面に化粧用カバーを装着するエレベータ操作盤の化粧カバーの取付方法において、
それぞれ鋼板の表面にホーロー材を塗布して焼成した材料で形成されている、前記押し釦の表面に装着する光透過用孔の形成された平板状の押し釦用カバーと、前記フェースプレートの表面に装着する前記フェースプレートと略同形状に形成されたフェースプレート用カバーと、前記扉板の表面に装着する施錠部の鍵穴を露出させる貫通穴の形成された扉板用カバーとを、
それぞれ対応する既設の押し釦と、フェースプレートと、扉板とに、熱伝導率の低い接着剤または両面接着テープによって取り付けることを特徴とするエレベータ操作盤の化粧カバーの取付方法。
【請求項６】
前記フェースプレート用カバーおよび扉板用カバーの背面側にスタッドボルトを取り付けるとともに、このスタッドボルトの位置に対応するように前記既設のエレベータ操作盤のフェースプレートおよび扉板に、位置決め用の貫通孔を形成し、この貫通孔に前記フェースプレート用カバーおよび扉板用カバーのスタッドボルトを貫通させることを特徴とする請求項５に記載のエレベータ操作盤の化粧カバーの取付方法。
【請求項７】
前記押し釦の表面が貫通する前記フェースプレート用カバーの裏面に、前記押し釦用カバーの位置決め用の穴を形成した治具を仮止めするとともに、
前記フェースプレート用カバーの表面に前記押し釦を貫通させる貫通穴を塞ぐように接着テープを貼り付け、
前記押し釦用カバーを前記治具の貫通穴を介してその表面を前記接着テープに接着させ、
その後前記治具を前記フェースプレート用カバーから取り外し、
前記接着テープに前記押し釦用カバーを接着させた状態で、前記押し釦用カバーと前記フェースプレート用カバーとを、前記既設の押し釦とフェースプレートとにそれぞれ取り付ける
ことを特徴とする請求項５または請求項６のいずれか１項に記載のエレベータ操作盤の化粧カバーの取付方法。
【発明の詳細な説明】
【０００１】
【発明の属する技術分野】
この発明は、エレベータの乗りかご内に設けられている操作盤の表面に装着される化粧カバーに係り、既設のエレベータ操作盤の表面が汚れたり破損したような場合に、その表面を覆うように取り付けるエレベータ操作盤の化粧カバーとその取付方法に関する。
【０００２】
【従来の技術】
エレベータの乗りかご内には、乗客が行き先階を登録したり、扉の開閉を操作したりするための押し釦や、非常時の通話用のインターホンなどを備えたエレベータ操作盤が設けられている。図１１は、このようなエレベータ操作盤を備えた乗りかごを、周壁の一部を切欠して内側の扉方向を見た斜視図である。
【０００３】
乗りかご１は、床２と天井３とこれらに対して鉛直方向に立設されて固定されている側板４によって、略方形に形成されており、乗り場側に向けて開閉式の扉５が設けられている。６は幅木である。そして、扉５が設けられている側の側板４ａにエレベータ操作盤７が設けられている。
【０００４】
エレベータ操作盤７は図１２に示すように、表面板であるフェースプレート８によって全体が覆われており、乗客が行先階を登録するための行先階押し釦９（本図には、１階から１０階までの１０個の押し釦が示されている）や、通常扉５は自動的に開閉されるものであるが、乗客が閉じかかっている扉５を開いたり、開いている扉５を閉じたり操作できるようにするための扉開閉押し釦１０が設けられている。また、エレベータの運転方向を矢印部分が点灯することによって示す方向灯１１、緊急時に保守員や管理センタなどを呼び出すための非常呼押し釦１２、保守員や管理センタなどと通話するためのインターホン１３なども設けられている。
【０００５】
この行先階押し釦９や扉開閉押し釦１０および非常呼押し釦１２は、その表面が、フェースプレート８に形成された貫通穴から突出するように設けられており、押された釦は点灯するようになっている。すなわち、押し釦９、１０、１２などは、乗客の指先で押され、連動して内部に設けられているスイッチが動作して、図示しないエレベータ制御装置などへ信号が伝わるものである。その後、押し釦から指先を離すことにより、内部に設けられているバネやその代わりとなるゴム状の柔軟な弾力性を持ったシリコンゴム等の部品の復帰力によって、押し釦が復帰する機構となっている。よって、押し釦９、１０、１２とフェースプレート８との間には、押し釦９、１０、１２がフェースプレート８に接触しないように、ストローク用の隙間が形成されている。
【０００６】
また、エレベータ操作盤７には、保守点検時等に使用される操作スイッチボックス１４が設けられており、普段はその操作スイッチボックス１４に扉板１５を被せて鍵１６で施錠することにより、乗客が触れられないようになっている。ただし、図１２では、扉板１５が下方にスライドして、操作スイッチボックス１４が現れた状態が示されている。そして、扉板１５の表面は、フェースプレート８の表面と同じ高さになるように形成されている。
【０００７】
さらに、フェースプレート８の表面には、エレベータの製造会社名を示す銘板１７、エレベータの用途、定員、積載重量を示す定格銘板１８、非常呼押し釦１２の注意書き１９などが表示され、操作ボックススイッチ１４の扉板１５にもエレベータ取扱いの注意書き２０が表示されている。これらの銘板や注意書きは、通常、シルク印刷によって表示されている。なお、シルク印刷に代えて、図１３に示すように、銘板や注意書きをそれぞれ個別の部材２１で形成し、これにスタッドボルト２２を固定しておき、スタッドボルト２２をフェースプレート８にナット２３または、かしめ具２４で固定するようなものもある。
【０００８】
このようなエレベータ操作盤７は、不特定多数の人によって操作されるので、常時、清潔に清掃されて正常に機能するように保守・点検されている。しかし、使用年数が長くなり、エレベータ操作盤７のフェースプレート８に傷がついたり、押し釦９、１０、１２が故障したり、押し釦９、１０、１２に表示してある行き先階の数字などがかすれて見えなくなったりしたようなときは、フェースプレート８や押し釦９、１０、１２を新品と交換したり、修理することにより、意匠的な見苦しさを修復させたり、正常機能を果たすようにしたりしている。また、いたみの程度が大きく、清掃や部品交換だけでは修復不可能な場合には、エレベータ操作盤７本体そのものを交換して修復するようなこともある。
【０００９】
しかしながら近時、長期使用による損耗とは無関係に、不心得な者のいたずらによって、エレベータ操作盤７が損傷されるという由々しき事態が急増しており、次に、いたずらによる損傷の状況について説明する。
【００１０】
エレベータの乗りかご１内は、密室空間となることがあるので、不心得な者がコインや鍵などでエレベータ操作盤７を傷付けたり、フェルトペンやペンキでいたずら書きをして表示文字を見えなくしたり、傘の先で行先階押し釦９を突いて壊したり、ライター等で焼いて押し釦９、１０、１２などを変形させたり機能させなくしたりといった悪質な行為も多いのが現状である。通常、エレベータ操作盤７には、量産性に優れているアクリル等の樹脂材料が多く使われているが、アクリル等の樹脂は一般に熱に対して弱く、ライターの炎でも簡単に変形するため、一度いたずらされると見栄えが悪くなり、誤動作や故障の原因ともなって、エレベータ自体の運行にも支障をきたす恐れがあった。
【００１１】
そこで、最近は、ナイロンやポリカーボネートのような、樹脂の中では燃えにくい性質をもった、いわゆる難燃材が多く使用されるようになって来た。この難燃材としては、米国のＵＬ規格のＵＬ９４試験にて認定されている材料を使用することとし、その中でも、上記のナイロンやポリカーボネートは最高基準であるＶ一０と認定されているものである。これは、熱源であるライター等を遠ざければそれ以上は燃え出すことはなく、また１２０℃前後の高温でも燃え出すことがなく、溶け出すこともない材料である。
【００１２】
また、エレベータ操作盤７に対しては、材料の他に構造面でも、いたずら対策が行われている。その対策構造の例を図１４、図１５に示してある。
【００１３】
すなわち図１４に示したものは、フェースプレートとして、板厚の厚い金属板２５を用いたものである。そして、フェースプレートとしての金属板２５には、行先階押し釦９や扉開閉押し釦１０に対応する位置に、それぞれ貫通穴２６を形成したものであり、この金属板２５をエレベータ操作盤７本体のネジ部２７に、ボルト２８で固定するようにしたものである。よって、乗客は、この貫通穴２６から行先階押し釦９や扉開閉押し釦１０を押すことになる。このように、行先階押し釦９や扉開閉押し釦１０は、金属板２５の板厚の分だけ、エレベータ操作盤７の内部に埋まった構造となっているので、押し釦９、１０にライターの炎を近付けようとしても、金属板２５の厚みや貫通穴２６によって、炎が押し釦９、１０の表面に達するのを阻止している。
【００１４】
また、図１５に示したものは、エレベータ操作盤７のフェースプレート８の行先階押し釦９や扉開閉押し釦１０を囲むように、これら押し釦９、１０の形状に合わせた筒状の突起物２８を固定したものである。よって、乗客は、この突起物２８の穴から行先階押し釦９や扉開閉押し釦１０を押すことになる。この突起物２８は、それ自体に高さをもっているので、図１４に示したものと同様の効果を奏するものである。なお、押し釦９、１０が円形であれば、突起物２８をリング状に形成するとともにその周囲にねじを切っておき、これをフェースプレート８の押し釦９、１０の周りに形成したねじ溝に螺合させて固定してもよい。
【００１５】
【発明が解決しようとする課題】
しかしながら、図１４、図１５に示したような構造としても、いたずらに対する対策としては、十分ではなかった。
【００１６】
まず、ライターのような着火物によるいたずらに対しては、材料の樹脂を耐熱性に優れた樹脂に変更しても、ライターの炎は１２００度Ｃ前後の温度にまで達するので、これに耐えられる耐熱性を持つものではなく、限界以上の温度で燃焼されると溶け出したり、燃えてしまうことがあり、さらに、熱に強い樹脂であっても、熱源に長い間晒され続けると溶けて変形してしまうので、有効な対策にはならなかった。また、図１４、図１５に示したような構造は、通常のライターの炎であれば押し釦９、１０の表面までは届かず、いたずらされ難いものではあるが、押し釦９、１０などは乗客が指先で触れて操作するものなので、あまり奥まった位置に設けることはできず、また、手元よりも奥まで伸ばして着火させることのできる形式のライターもあることから、これも対策として十分なものではなかった。
【００１７】
一方、傷を付けたり落書きのいたずらに対しては、樹脂材を金属材に変えることにより対策したが、樹脂材よりは丈夫にはなるものの、コインや鍵などで簡単に傷を付けられてしまうことと、落書きが除去しにくいところはなお解決できない問題であった。また、いたずらの対策を重視しているため、通常の利用者にとっては使用し難く、意匠的にも劣ったものとなるという課題があった。さらに、押し釦自体には何等対策がなされていなかった。
【００１８】
本発明は、このような問題を解決するためになされたものである。
【００１９】
【課題を解決するための手段】
上記のような課題を解決するための本発明のうち、請求項１に記載の発明は、乗客が操作する行き先階などを登録する押し釦と、この押し釦の表面が貫通し、エレベータの定格や注意事項などの文字や記号が表示されたフェースプレートと、保守・点検時に使用されるスイッチボックスを塞いでいる施錠部付きの扉板とを有する既設のエレベータ操作盤の表面に装着するための化粧用カバーであって、前記押し釦の表面に装着する光透過用孔の形成された平板状の押し釦用カバーと、前記フェースプレートの表面に装着する前記フェースプレートと略同形状に形成されたフェースプレート用カバーと、前記扉板の表面に装着する施錠部の鍵穴を露出させる貫通穴の形成された扉板用カバーとから成り、それぞれのカバーは、鋼板の表面にホーロー材を塗布して焼成した材料で形成されていることを特徴とするものである。
【００２０】
これにより、既設のエレベータ操作盤の内部をいじることなく、フェースプレートに覆い被せるだけで意匠を修復することのできる化粧用カバーが提供される。そして、化粧用カバーを３種の部材に分割したので、修復作業が容易となり、また、それぞれのカバーは、鋼板の表面にホーロー材を塗布して焼成した材料で形成したので、耐熱性、耐摩耗性に優れ、変質、変形に対しても強くいたずらによる損傷を排除することができる。
【００２１】
また、請求項２に記載の発明は、請求項１に記載のエレベータ操作盤の化粧カバーにおいて、前記押し釦用カバー、フェースプレート用カバーおよび扉板用カバーの表面には、それぞれ既設のエレベータ操作盤の表面に表示されているのと略同様の文字や記号がホーロー塗料で印刷して表示されていることを特徴とするものである。
【００２２】
これにより、化粧カバーを取り付けても、既設のエレベータ操作盤に表示されていた事項を、そのまま利用者へ知らせることができる。
【００２３】
また、請求項３に記載の発明は、請求項１または請求項２のいずれか１項に記載のエレベータ操作盤の化粧カバーにおいて、前記押し釦用カバー、フェースプレート用カバーおよび扉板用カバーは、それぞれ前記既設のエレベータ操作盤の押し釦、フェースプレートおよび扉板に、熱伝導率の低い接着剤または両面接着テープによって接着されていることを特徴とするものである。
【００２４】
これにより、化粧カバーの上からライターなどで熱が加えられても、既設のフェースプレートや押し釦に熱が伝わり難く、これらを変形させる恐れがない。
【００２５】
また、請求項４に記載の発明は、請求項１または請求項２のいずれか１項に記載のエレベータ操作盤の化粧カバーにおいて、前記フェースプレート用カバーおよび扉板用カバーの背面側に取り付けられる位置決め用のスタッドボルトと、このスタッドボルトを貫通させる前記既設のエレベータ操作盤のフェースプレートおよび扉板に形成された位置決め孔を有し、この位置決め孔に貫通させたスタッドボルトを、前記既設のエレベータ操作盤のフェースプレートおよび扉板に止着することによって、前記フェースプレート用カバーおよび扉板用カバーを、前記既設のエレベータ操作盤のフェースプレートおよび扉板にそれぞれ固定したことを特徴とするものである。
【００２６】
これにより、既設のエレベータ操作盤のフェースプレートに化粧カバーを取り付ける際の位置決めが容易となり、作業を効率的に精度良く実施することができる。
【００２７】
さらに、請求項５に記載の発明は、乗客が操作する行き先階などを登録する押し釦と、この押し釦の表面が貫通し、エレベータの定格や注意事項などの文字や記号が表示されたフェースプレートと、保守・点検時に使用されるスイッチボックスを塞いでいる施錠部付きの扉板とを有する既設のエレベータ操作盤の表面に化粧用カバーを装着するエレベータ操作盤の化粧カバーの取付方法において、それぞれ鋼板の表面にホーロー材を塗布して焼成した材料で形成されている、前記押し釦の表面に装着する光透過用孔の形成された平板状の押し釦用カバーと、前記フェースプレートの表面に装着する前記フェースプレートと略同形状に形成されたフェースプレート用カバーと、前記扉板の表面に装着する施錠部の鍵穴を露出させる貫通穴の形成された扉板用カバーとを、それぞれ対応する既設の押し釦と、フェースプレートと、扉板とに、熱伝導率の低い接着剤または両面接着テープによって取り付けることを特徴とするエレベータ操作盤の化粧カバーの取付方法である。
【００２８】
これにより、既設のエレベータ操作盤の内部をいじることなく、フェースプレートに覆い被せて接着するだけで意匠面を修復することのできる化粧用カバーの取付方法が提供される。そして、化粧用カバーは３種の部材に分割されているので、修復作業を容易に精度良く実施することができる。
【００２９】
また、請求項６に記載の発明は、請求項５に記載のエレベータ操作盤の化粧カバーの取付方法において、前記フェースプレート用カバーおよび扉板用カバーの背面側にスタッドボルトを取り付けるとともに、このスタッドボルトの位置に対応するように前記既設のエレベータ操作盤のフェースプレートおよび扉板に、位置決め用の貫通孔を形成し、この貫通孔に前記フェースプレート用カバーおよび扉板用カバーのスタッドボルトを貫通させることを特徴とするものである。
【００３０】
これにより、既設のエレベータ操作盤のフェースプレートに化粧カバーを取り付ける際の位置決めが容易となり、作業を効率的に精度良く実施することができる。
【００３１】
そして、請求項７に記載の発明は、請求項５または請求項６のいずれか１項に記載のエレベータ操作盤の化粧カバーの取付方法において、前記押し釦の表面が貫通する前記フェースプレート用カバーの裏面に、前記押し釦用カバーの位置決め用の穴を形成した治具を仮止めするとともに、前記フェースプレート用カバーの表面に前記押し釦を貫通させる貫通穴を塞ぐように接着テープを貼り付け、前記押し釦用カバーを前記治具の貫通穴を介してその表面を前記接着テープに接着させ、その後前記治具を前記フェースプレート用カバーから取り外し、前記接着テープに前記押し釦用カバーを接着させた状態で、前記押し釦用カバーと前記フェースプレート用カバーとを、前記既設の押し釦とフェースプレートとにそれぞれ取り付けることを特徴とするものである。
【００３２】
これにより、押し釦用カバーの位置決め用の穴を形成した治具を用いて、押し釦用カバーをフェースプレート用カバーに仮止めするので、押し釦用カバーの固定位置の誤差がなく、容易にかつ、精度良く取り付けることができる。よって、使用時に押し釦がせり上がって機能に異常をきたす恐れもなくなる。
【００３３】
【発明の実施の形態】
以下、本発明に係るエレベータ操作盤の化粧カバーとその取付方法の実施の形態について、図１ないし図１０を参照して詳細に説明する。なおこれらの図において、図１１ないし図１５と同一部分には同一符号を付して示してある。
【００３４】
図１は、本発明に係るエレベータ操作盤の化粧カバーの一実施の形態を説明するために、既設のエレベータ操作盤のフェースプレートとともに、本発明の化粧カバーの各構成要素を分解して示した斜視図である。
【００３５】
図１において、既設のエレベータ操作盤７のフェースプレート８は、図１２に示したものと同様であるが、表示文字などの記載は省略してある。そして本発明の化粧カバーは、既設のエレベータ操作盤７のフェースプレート８の表面に装着されるものであって、フェースプレート７と略同形状に形成されたフェースプレート用カバー３１と、押し釦９、１０、１２などの表面に装着する平板状の押し釦用カバー３２と、扉板１５の表面に装着する扉板用カバー３３との３部材に大別されて構成されている。これら、フェースプレート用カバー３１、押し釦用カバー３２、扉板用カバー３３は、それぞれ薄い鋼板の表面にホーロー材を塗布して焼成した材料で形成されており、その詳細は、各部材ごとに図２ないし図４に示されている。
【００３６】
先ず、フェースプレート用カバー３１の詳細を、図２に平面図で示してある。このフェースプレート用カバー３１の表面には、社銘板３１ａ、定格銘板３１ｂ、非常時の注意書き３１ｃ、方向表示３１ｄが、既設のフェースプレート８と同様に表示されている。この表示は、焼成されたホーロー材の表面に、ホーロー塗料を用いて印刷したものである。なお、方向表示３１ｄ部分には、矢印の下に小さなスリット３１ｅが穿設されていて、方向表示３１ｄの矢印が点灯されている時に、スリット３１ｅを通してその光が漏れるようになっている。また、行先階押し釦９、扉開閉押し釦１０および非常呼押し釦１２を挿通させるための、行先階押し釦穴３１ｆ、扉開閉押し釦穴３１ｇ、非常呼押し釦穴３１ｈが穿設されている。なお、行先階押し釦穴３１ｆは、１階から１０階までの１０個分が穿設されている。さらに、操作スイッチボックス１４の扉板１５に相当する部分が、符号３１ｉを付して示すように切り欠かれている。
【００３７】
次に、押し釦用カバー３２について説明する。図３は、押し釦用カバー３２を示した平面図であり、（ａ）は行先階押し釦用カバー３２ａを示し、（ｂ）は扉開閉押し釦用カバー３２ｂを示し、（ｃ）は非常呼押し釦用カバー３２ｃを示している。これら各カバー３２ａ、３２ｂ、３２ｃの表面には、それぞれホーロー塗料によって、階床を示す数字３２ｄ、扉の開閉方向を示す記号３２ｅあるいは、電話機の記号や非常呼の文字３２ｆなどが印刷されて表示されている。なお、行先階押し釦用カバー３２ａと扉開閉押し釦用カバー３２ｂには、スリット３２ｇが穿設されている。このスリット３２ｇは、押された押し釦の内容が登録された際に、その押し釦が点灯するので、点灯した光をこのスリット３２ｇを通して確認できるように（すなわち登録されたかどうかを確認できるように）設けたものである。
【００３８】
さらに、扉板用カバー３３の詳細が図４に示されている。この扉板用カバー３３には、操作スイッチボックス１４に扉板１５を被せて施錠する鍵１６用の穴を露出させるための貫通穴３３ａが穿設されている。そして、扉板用カバー３３の表面にも、既設の扉板１５に表示されているのと同様の、例えば扉開閉押し釦１０の使用説明や警報ブザーが鳴ったときの注意書き３３ｂなどが、ホーロー塗料によって印刷されて表示されている。
【００３９】
次に、上記のように構成された本発明の化粧カバーを、既設のエレベータ操作盤７のフェースプレート８の表面に取り付けるための取り付け方法について、説明する。
【００４０】
図５は、本発明に係るエレベータ操作盤の化粧カバーの取付方法の一実施の形態を説明するために示した図であり、特に、既設のエレベータ操作盤のフェースプレート８と扉板１５の表面、および本発明のフェースプレート用カバー３１と扉板用カバー３３の表面を展開して示した斜視図である。
【００４１】
すなわち、先ず、既設のエレベータ操作盤のフェースプレート８と扉板１５の表面に、各種押し釦９、１０、１２や方向灯１１、インターホン１３、鍵１６部分などを除いて、略全面に両面接着テープ３５（図に斜線を施して表示してある）を貼り付ける。次に、両面接着テープ３５のテープ部分をはぎ取る。こうすると、接着剤部分がフェースプレート８と扉板１５の表面に残ることになる。そこで、フェースプレート８の表面に合わせてフェースプレート用カバー３１を貼り付ける。また、扉板１５の表面に合わせて扉板用カバー３３を貼り付ける。このようにして、既設のエレベータ操作盤７の表面に、新しいフェースプレート用カバー３１と扉板用カバー３３が取り付けられ、傷などによって見苦しくなっていた既設のフェースプレート８や扉板１５の意匠が一新される。なお、フェースプレート用カバー３１に穿設されている行先階押し釦穴３１ｆ、扉開閉押し釦穴３１ｇ、非常呼押し釦穴３１ｈに、行先階押し釦９や扉開閉押し釦１０および非常呼押し釦１２が挿通され、これらの操作が従来と同様に可能となる。
【００４２】
なお、両面接着テープ３５は、熱伝導率が低く、断熱効果の大きい接着剤を用いたものであることが望ましく、また、両面接着テープ３５に代えて接着剤そのものを、フェースプレート８と扉板１５の表面またはフェースプレート用カバー３１と扉板用カバー３３の裏面に塗って、両者を接着させることにより取り付けても良いことは言うまでもない。
【００４３】
さて、上記のように両面接着テープ３５あるいは接着剤によって取り付ける場合には、固定位置が定まらず、フェースプレート８に対するフェースプレート用カバー３１の取付位置や、扉板１５に対する扉板用カバー３３の取付位置に誤差が生じることが多く、しかも両面接着テープ３５は、一度貼ると貼り直しがきかないので、取付位置を設定するためにガイドを設けるのが望ましい。そこで、本発明に係るエレベータ操作盤の化粧カバーの取付方法の第２の実施の形態について説明する。
【００４４】
図６は、本発明に係るエレベータ操作盤の化粧カバーの取付方法の第２の実施の形態を説明するために示した図であり、既設のエレベータ操作盤のフェースプレート８と扉板１５の表面に、本発明のフェースプレート用カバー３１と、扉板用カバー３３とを取り付ける方法を説明するために、それぞれ既設のフェースプレート８と扉板１５、および本発明のフェースプレート用カバー３１と扉板用カバー３３の裏面側を展開して示した斜視図である。
【００４５】
この実施の形態では、フェースプレート用カバー３１および扉板用カバー３３の裏面の要所に、スタッドボルト３６、３７を取り付けてある。一方、既設のエレベータ操作盤７のフェースプレート８と扉板１５に、これらスタッドボルト３６、３７を貫通させる取付穴３６ａ、３７ａを、スタッドボルト３６、３７を取り付けた位置に合わせて穿設したものである。よって、スタッドボルト３６、３７をガイドとして取付穴３６ａ、３７ａに挿通させることにより、フェースプレート用カバー３１と扉板用カバー３３を適正な位置に、精度良く接着させることができる。なお、両面接着テープ３５または接着剤に代えて、取付穴３６ａ、３７ａを貫通したスタッドボルト３６、３７に、平座３８ａ、ばね座３８ｂを順に係合させて、ナット３８ｃで固定するようにしてもよい。
【００４６】
ここまでは、本発明に係るエレベータ操作盤の化粧カバーの取付方法として、フェースプレート用カバー３１と扉板用カバー３３の取付方法を説明したが、次に、押し釦９、１０、１２などの表面に装着する平板状の押し釦用カバー３２の取付方法の実施の形態について説明する。
【００４７】
押し釦９、１０、１２などは、既設のフェースプレート８や化粧直しのために取り付けるフェースプレート用カバー３１に形成された貫通穴から突出しており、これらに接触しないようにストローク用の隙間が形成されている。そして、押し釦９、１０、１２の表面に単に押し釦用カバー３２を貼り付けたのでは、押し釦９、１０、１２の数も多く、この隙間が、上下、左右に偏ったり不揃いとなるおそれがある。この隙間が、上下、左右に偏ると、押し釦９、１０、１２の操作に支障を来すとともに、意匠的な見栄えも劣ることとなる。そこで、フェースプレート用カバー３１に形成された行先階押し釦穴３１ｆ、扉開閉押し釦穴３１ｇ、非常呼押し釦穴３１ｈのそれぞれに対して、治具を用いて、押し釦用カバー３２の位置決めを行なったうえで、各行先階押し釦９、扉開閉押し釦１０、非常呼押し釦１２に、押し釦用カバー３２をそれぞれ貼り付けるようにしたものである。すなわち、押し釦用カバー３２は、既設の押し釦９、１０、１２にあわせて取り付けるのではなく、フェースプレート用カバー３１の各押し釦穴３１ｆ、３１ｇ、３１ｈに対して位置合わせを行なって取付けようとするものである。
【００４８】
図７は、本発明に係るエレベータ操作盤の化粧カバーの取付方法の第３の実施の形態として、フェースプレート用カバー３１の各押し釦穴３１ｆ、３１ｇ、３１ｈに対して、押し釦用カバー３２の位置合わせを行なう方法を説明するために示した展開斜視図である。
【００４９】
図７には、フェースプレート用カバー３１の裏面が示されており、フェースプレート用カバー３１の裏面に取付けられているスタッドボルト３６に合わせて、平板状の釦カバー取付治具４１を仮止めする。なお、釦カバー取付治具４１の詳細は、図８に示されているように、スタッドボルト３６を挿通させる貫通孔４１ａが穿設されているとともに、既設のエレベータ操作盤７に設けられた行先階押し釦９、扉開閉押し釦１０、非常呼押し釦１２に合わせて、それぞれ貫通穴４１ｂ、４１ｃ、４１ｄが穿設されている。この貫通穴４１ｂ、４１ｃ、４１ｄは、フェースプレート用カバー３１に形成されている行先階押し釦穴３１ｆ、扉開閉押し釦穴３１ｇ、非常呼押し釦穴３１ｈよりも小さく、周囲に所定のストローク用の隙間を保つようにして、各押し釦９、１０、１２とほぼ同様の大きさに形成されている。
【００５０】
次に、フェースプレート用カバー３１の表面（意匠面側）側に、各押し釦穴３１ｆ、３１ｇ、３１ｈを塞ぐように、粘着テープ４２を貼り付ける。よって、各押し釦穴３１ｆ、３１ｇ、３１ｈ部分は、粘着テープ４２の粘着面が露出することになる。このような状態のもとで、押し釦用カバー３２をそれぞれ釦カバー取付治具４１の所定の貫通穴４１ｂ、４１ｃ、４１ｄに嵌め合わせる。すなわち、各押し釦用カバー３２の表面には、図３に示したように、階床を示す数字３２ｄ、扉の開閉方向を示す記号３２ｅあるいは、電話機の記号や非常呼の文字３２ｆなどが印刷されて表示されているので、取り付けるべき押し釦９、１０、１２に押し釦用カバー３２の表示が一致するようにして、表示面が粘着テープ４２の粘着面に接するように嵌め合わせる。よって、押し釦用カバー３２が粘着テープ４２によって接着されて、あたかもフェースプレート用カバー３１と一体的に保持される。
【００５１】
この押し釦用カバー３２を、釦カバー取付治具４１の貫通穴４１ｂ、４１ｃ、４１ｄに嵌め合わせて、フェースプレート用カバー３１の各押し釦穴３１ｆ、３１ｇ、３１ｈに位置決めする手段の詳細を、図９を参照して説明する。
【００５２】
すなわち、図９は、フェースプレート用カバー３１を間にして、その裏面に仮止めされている釦カバー取付治具４１と、表面に接着されている粘着テープ４２とについて、貫通穴４１ｂ付近を拡大した断面図である。この図から明らかなように、釦カバー取付治具４１に穿設されている貫通穴４１ｂは、フェースプレート用カバー３１に形成されている押し釦穴３１ｆに比べて小さく、押し釦９を丁度挿通させる程度の大きさとなっている。そして、この貫通穴４１ｂに、押し釦用カバー３２を嵌め合わせるように挿通させることにより、押し釦用カバー３２がフェースプレート用カバー３１の押し釦穴３１ｆの略中央に位置することとなって、粘着テープ４２の粘着部に接着される。すなわち、釦カバー取付治具４１の貫通穴４１ｂをガイドとして、押し釦用カバー３２がフェースプレート用カバー３１の押し釦穴３１ｆの略中央に位置決めされる。なお、フェースプレート用カバー３１の押し釦穴３１ｆに対して、押し釦用カバー３２の周囲には、ストローク用の隙間４３が略均等に形成される。これらの関係は、押し釦１０、１２と押し釦穴３１ｇ、３１ｈおよび貫通穴４１ｃ、４１ｄについても同様である。
【００５３】
すべての押し釦用カバー３２を粘着テープ４２に接着させた後、押し釦用カバー３２が粘着テープ４２から剥がれないように注意して、釦カバー取付治具４１をフェースプレート用カバー３１から取り外す。すると、フェースプレート用カバー３１の押し釦穴３１ｆ、３１ｇ、３１ｈを押し釦用カバー３２で塞いだような、フェースプレート用カバー３１と押し釦用カバー３２が一体となったものができあがる。そこで、図１０に示すように、既設のエレベータ操作盤７の押し釦９、１０、１２の意匠面に、両面接着テープ３５または接着剤（図に斜線を施して表示してある）を貼り付ける。次に、図５を参照して説明したのと同様に、フェースプレート用カバー３１と押し釦用カバー３２とが一体となったものを、既設のフェースプレート８の表面に重ね合わせて、押し釦用カバー３２を表面側からよく加圧して固定させる。そして、粘着テープ４２だけをフェースプレート用カバー３１の意匠面からはがして除去する。
【００５４】
このようにして、押し釦９、１０、１２の表面に、新しい押し釦用カバー３２が取り付けられ、傷などによって見苦しくなっていた既設の押し釦９、１０、１２の意匠が一新される。その後引き続いて、図５、図６を参照して説明した方法によって、フェースプレート用カバー３１を、フェースプレート８の表面に固定したり、あるいは、押し釦用カバー３２の取り付けと一緒に、フェースプレート用カバー３１をフェースプレート８の表面に固定する作業を実施してもよい。
【００５５】
このような方法によれば、エレベータ操作盤７の押し釦９、１０、１２の表面に、カバー３２を取付ける際の、押し釦９、１０、１２の位置決め誤差を解消することができるとともに、反りが起こるような問題を解決し、押し釦用カバー３２を、適正な位置に精度良く取り付けることができる。
【００５６】
このように本発明によれば、エレベータ操作盤７の意匠面に、薄板で形成され表面にホーロー材が焼成されたフェースプレート用カバー３１、押し釦用カバー３２、扉板用カバー３３等を貼り付けるようにしたので、エレベータ操作盤７の内部に手を加えることなく、経年変化あるいはいたずらなどによって損傷した意匠面を短時間に修復することができる。また、各カバー３１、３２、３３は、表面にホーロー材が焼成された薄板で形成されているので、その後の熱や傷などのいたずらを受けても、損傷の程度は軽微なもので済むこととなる。
【００５７】
【発明の効果】
以上詳述したように、請求項１に記載の発明によれば、既設のエレベータ操作盤の内部をいじることなく、フェースプレートに覆い被せるだけで意匠を修復する化粧用カバーが提供される。そして、化粧用カバーを３種の部材に分割したので、修復作業が容易となり、また、それぞれのカバーは、鋼板の表面にホーロー材を塗布して焼成した材料で形成したので、耐熱性、耐摩耗性に優れ、変質、変形に対しても強くいたずらによる損傷を排除することができる。
【００５８】
また、請求項２に記載の発明によれば、化粧カバーを取り付けても、既設のエレベータ操作盤に表示されていた事項を、そのまま利用者へ知らせることができる。
【００５９】
また、請求項３に記載の発明によれば、化粧カバーの上からライターなどで熱が加えられても、既設のフェースプレートや押し釦に熱が伝わり難く、これらを変形させる恐れがない。
【００６０】
また、請求項４に記載の発明によれば、既設のエレベータ操作盤のフェースプレートに化粧カバーを取り付ける際の位置決めが容易となり、作業を効率的に精度良く実施することができる。
【００６１】
さらに、請求項５に記載の発明によれば、既設のエレベータ操作盤の内部をいじることなく、フェースプレートに覆い被せて接着するだけで意匠面を修復することのできる化粧用カバーの取付方法が提供される。そして、化粧用カバーは３種の部材に分割されているので、修復作業を容易に精度良く実施することができる。
【００６２】
また、請求項６に記載の発明によれば、既設のエレベータ操作盤のフェースプレートに化粧カバーを取り付ける際の位置決めが容易となり、作業を効率的に精度良く実施することができる。
【００６３】
そして、請求項７に記載の発明によれば、押し釦用カバーの位置決め用の穴を形成した治具を用いて、押し釦用カバーをフェースプレート用カバーに仮止めするので、押し釦用カバーの固定位置の誤差がなく、容易にかつ、精度良く取り付けることができる。よって、使用時に押し釦がせり上がって機能に異常をきたす恐れもなくなる。
【図面の簡単な説明】
【図１】本発明の一実施の形態を説明するために、既設のエレベータ操作盤のフェースプレートとともに、本発明の化粧カバーの各構成要素を分解して示した斜視図である。
【図２】本発明におけるフェースプレート用カバーの詳細を示した平面図である。
【図３】本発明における押し釦用カバーの詳細を示した平面図である。
【図４】本発明における扉板用カバーの詳細を示した平面図である。
【図５】本発明に係るエレベータ操作盤の化粧カバーの取付方法の第１の実施の形態を説明するために示した展開図である。
【図６】本発明に係るエレベータ操作盤の化粧カバーの取付方法の第２の実施の形態を説明するために示した展開図である。
【図７】本発明に係るエレベータ操作盤の化粧カバーの取付方法の第３の実施の形態を説明するために示した展開図である。
【図８】本発明の第３の実施の形態による取付方法において使用される釦カバー取付治具を示した平面図である。
【図９】本発明の第３の実施の形態による取付方法の詳細を説明するために示した図である。
【図１０】本発明の取付方法の一工程を説明した説明図である。
【図１１】エレベータ操作盤を備えた乗りかご内の扉方向を見た斜視図である。
【図１２】既設のエレベーター操作盤を示した平面図である。
【図１３】既設のエレベーター操作盤における銘板の固定方法を説明した斜視図である。
【図１４】従来のいたずら対策を施したエレベータ操作盤を説明した斜視図である。
【図１５】従来の他のいたずら対策を施したエレベータ操作盤を説明した斜視図である。
【符号の説明】
７  エレベータ操作盤
８  フェースプレート
９  行先階押し釦
１０  扉開閉押し釦
１１  方向灯
１２  非常呼押し釦
１３  インターホン
１４  操作ボックススイッチ
１５  扉板
１６  鍵
３１  フェースプレート用カバー
３１ｆ  行先階押し釦穴
３１ｇ  扉開閉押し釦穴
３１ｈ  非常呼押し釦穴
３２  押し釦用カバー
３３  扉板用カバー
３３ａ  貫通穴
３５  両面接着テープ
【図１】
0004234278.tif 000002
【図２】
0004234278.tif 000003
【図３】
0004234278.tif 000004
【図４】
0004234278.tif 000005
【図５】
0004234278.tif 000006
【図６】
0004234278.tif 000007
【図７】
0004234278.tif 000008
【図８】
0004234278.tif 000009
【図９】
0004234278.tif 000010
【図１０】
0004234278.tif 000011
【図１１】
0004234278.tif 000012
【図１２】
0004234278.tif 000013
【図１３】
0004234278.tif 000014
【図１４】
0004234278.tif 000015
【図１５】
0004234278.tif 000016